(57)【要約】【課題】夜釣りにおける作業が容易となるように工夫された釣り用餌箱を提供する。【解決手段】上方に開口部を備えた箱本体２と、箱本体２の開口部に開閉自在に取付けられた蓋体３とを有する釣り餌を収容するための釣り用餌箱１において、蓋体３の裏面側における蓋体３の開状態において箱本体２の内部を照明可能な位置に取付けられた照明灯６を、蓋体３の開閉動作に連動して作動する自動切換スイッチ９によって蓋体３の開状態において点灯するようにした。また、蓋体３の表面側に取付けられた目印灯７を、自動切換スイッチ９によって蓋体３の閉状態において点滅或いは点灯するようにした。【選択図】図１
0003108737.tif 000002
【実用新案登録請求の範囲】
【請求項１】
上方に開口部を備えた箱本体と、該箱本体の開口部に開閉自在に取付けられた蓋体とを有する釣り餌を収容するための釣り用餌箱において、
前記蓋体の裏面側における当該蓋体の開状態において箱本体の内部を照明可能な位置に取付けられた照明灯と、前記蓋体の開閉動作に連動して作動する自動切換スイッチとを備え、前記照明灯を前記自動切換スイッチによって前記蓋体の開状態において点灯するようにしたことを特徴とする釣り用餌箱。
【請求項２】
前記蓋体の表面側に取付けられた目印灯と、前記自動切換スイッチと連動して前記目印灯を点滅或いは点灯させる目印スイッチとを備え、前記目印灯を前記自動切換スイッチ及び前記目印スイッチによって前記蓋体の閉状態において点滅或いは点灯するようにしたことを特徴とする請求項１に記載の釣り用餌箱。
【請求項３】
前記箱本体と前記蓋体とが木材製であることを特徴とする請求項１または請求項２に記載の釣り用餌箱。
【考案の詳細な説明】
【技術分野】
【０００１】  本考案は、釣り餌を収容するための釣り用餌箱、特に夜釣りにおいて、所望とする釣り餌を取出したり、釣り餌を釣り針に取付けたりする作業が容易となるように工夫された釣り用餌箱に関するものである。
【背景技術】
【０００２】  一般に、釣り用餌箱は、上方に開口部を備える角箱状の箱本体と、その開口部に開閉自在に取付けられた蓋体から構成されている。【０００３】  ところで、夜釣りにおいて、餌箱から所望とする釣り餌を取出したり、釣り餌を釣り針に取付けたりする場合、釣り人は懐中電灯、ヘッドライト等の照明手段を用意し、その都度、照明手段で餌箱の箱本体内を照らしながら作業するのが通常であった。
【考案の開示】
【考案が解決しようとする課題】
【０００４】  しかし、懐中電灯、ヘッドライト等の照明手段で餌箱の箱本体内を照らしながら釣り餌を取出したり、釣り餌を釣り針に取付けたりする場合、照明手段が固定されていないため、不用意に釣り場の水面を照らしてしまい、光に敏感な魚が逃げて周囲の釣り人達に迷惑を掛けることが往々にしてある。また、餌箱と照明手段とが別々であるため、その都度、暗闇の中で餌箱や照明手段を手さぐりで探し回ったり、嵩張る照明手段を常に携帯しなければならないという不便さがある。しかも、照明手段のスイッチを、その都度、入れたり切ったりする必要があり、非常に煩わしいかった。【０００５】  本考案は、上記問題点に鑑みてなされたもので、その目的とするところは、夜釣りにおける作業が容易となるように工夫された釣り用餌箱を提供する。
【課題を解決するための手段】
【０００６】  上記目的を達成するため、本考案は、上方に開口部を備えた箱本体と、該箱本体の開口部に開閉自在に取付けられた蓋体とを有する釣り餌を収容するための釣り用餌箱において、前記蓋体の裏面側における当該蓋体の開状態において箱本体の内部を照明可能な位置に取付けられた照明灯と、前記蓋体の開閉動作に連動して作動する自動切換スイッチとを備え、前記照明灯を前記自動切換スイッチによって前記蓋体の開状態において点灯するようにしたことを特徴とするものである（請求項１）。【０００７】  また、本考案は、請求項１の考案の釣り用餌箱において、前記蓋体の表面側に取付けられた目印灯と、前記自動切換スイッチと連動して前記目印灯を点滅或いは点灯させる目印スイッチとを備え、前記目印灯を前記自動切換スイッチ及び前記目印スイッチによって前記蓋体の閉状態において点滅或いは点灯することもできる（請求項２）。【０００８】  また、本考案は、請求項１または請求項２の考案の釣り用餌箱において、前記箱本体と前記蓋体とが木材製であるものである（請求項３）。【０００９】  本考案の釣り用餌箱は、蓋体を開けると、自動切換スイッチによって自動的に照明灯が点灯されることになり、蓋体を閉めると、自動切換スイッチによって照明灯が消灯されると同時に、目印灯が点滅或いは点灯されることになる。従って、夜釣りにおいて、釣り人が蓋体を開けると、自動的に照明灯が点灯して蓋体の内部を照らすことになるので、釣り人は容易に所望とする釣り餌を取出すことが可能となるとともに、的確に釣り餌を釣り針に取付けることが可能となる。また、蓋体を閉じると、自動的に蓋体の表面側に取付けられた目印灯が点滅或いは点灯することになるので、釣り人は暗闇の中でも餌箱の置き場所を容易に目視で確認することが可能となる。更に、箱本体と蓋体とが木材製であると、保温性・保湿性に優れ、生き餌が長生きして好ましい。
【考案の効果】
【００１０】  本考案の釣り用餌箱によれば、夜釣りを行なう場合、蓋体を開けると、自動的に照明灯が点灯して蓋体の内部を照らされるとともに、蓋体を閉じると、自動的に蓋体の表面側に取付けられた目印灯が点滅或いは点灯されるため、懐中電灯、ヘッドライト等の照明手段をわざわざ用意したり、嵩張る照明手段を常に携帯したり、手さぐりで探し回ることなく、暗闇の中でも容易に所望とする釣り餌を取出したり、的確に釣り餌を釣り針に取付けたり、餌箱の位置を確認したりすることができる。
【考案を実施するための最良の形態】
【００１１】  以下、本考案の一実施形態を図面に基づいて説明する。【００１２】  図１乃至図３において、１は木材製の餌箱であり、上方に開口部を備えた角箱状の箱本体２と、その開口部に枢軸４を介して開閉自在に取付けられた蓋体３とから構成されている。尚、蓋体３は、上方へ回動した開状態において手を放しても略垂直に立っているように取付けられる。【００１３】  蓋体３には、電池ボックス５、照明灯６、目印灯７、メインスイッチ８、自動切換スイッチ９及び目印スイッチ１０が設けられており、これらを図３に示す電気回路のように配線している。【００１４】  電池ボックス５は、電源となる電池を収納するもので、蓋体３の裏面側の中央部に取付けられており、例えば、図３に示すように、２本の電池１１が直列に接続して収納されている。この電池ボックス５に収納される電池１１としては、一般に市販されている電池を用いればよく、アルカリ乾電池、マンガン乾電池等の一次電池や、ニッケル水素電池、ニカド電池等の二次電池を用いればよい。【００１５】  照明灯６は、蓋体３の開状態において箱本体２の内部を照らすもので、蓋体３の裏面側の所定位置（蓋体３の開状態において箱本体２の内部を照明可能な位置）に取付けられており、蓋体３の開閉動作に連動して作動する自動切換スイッチ９によって点灯、消灯するようになっている。この照明灯６は、一例として電球を用いているが、電球以外の照明、例えばＬＥＤ（発光ダイオードランプ）等を用いても構わない。【００１６】  目印灯７は、暗闇の中において餌箱１の位置を目視で確認させるもので、蓋体３の表面側の所定位置（蓋体３の閉状態において目視で確認可能な位置）に取付けられており、自動切換スイッチ９及び目印スイッチ１０によって点滅或いは点灯するようになっている。この目印灯７は、一例としてＬＥＤを用いているが、ＬＥＤ以外の照明、例えば豆電球を用いても構わない。【００１７】  メインスイッチ８は、電源（電池ボックス５）からの電力供給を制御させるもので、電池ボックス５に取付けられており、昼間はオフ状態としておき、照明が必要になった時点でオン状態とし、不要になった時点で再びオフ状態とするようにしている。【００１８】  自動切換スイッチ９は、照明灯６を点灯、消灯させるとともに、照明灯７を目印スイッチ１０と連動して点滅或いは点灯させるもので、蓋体３の裏面側の一側部に取付けられている。この自動切換スイッチ９は、２つの接点ａ，ｂを有し、箱本体２に対応して設けられた作動片（図示せず）によって蓋体３の開閉動作に連動して接点ａ，ｂが切換わるようになっている。即ち、蓋体３を閉じたときには、そのスイッチバー９ａが箱本体３の作動片によって押圧されて接点ａとなり、蓋体３を開いたときには、そのスイッチバー９ａが箱本体２の作動片から開放されて接点ｂになる。自動切換スイッチ９が接点ａでは、即ち、蓋体３の開状態においては、照明灯６が点灯し、目印灯７は点滅或いは点灯しない。また、自動切換スイッチ９が接点ｂでは、即ち、蓋体３が閉状態においては、照明灯６は点灯せず、目印スイッチ１０がオン状態の場合のみ目印灯７が点滅或いは点灯する。この切換自動スイッチ９は、一例として接触型スイッチのマイクロスイ��チを用いているが、マイクロスイッチ以外の接触型スイッチを用いても構わないし、近接スイッチ（リードスイッチ）等の非接触型スイッチを用いても構わない。【００１９】  目印スイッチ１０は、目印灯７を自動切換スイッチ９と連動して点滅或いは点灯させるもので、電池ボックス５に取付けられており、昼間はオフ状態としておき、餌箱１の置き場所確認が必要になった時点でオン状態とし、不要になった時点で再びオフ状態とするようにしている。【００２０】  次に、上記構成とした本考案の餌箱１の動作について説明する。夜釣りにおいて餌箱１を使用する場合、メインスイッチ８及び目印スイッチ１０をオン状態とする。この状態で、餌箱１から所望とする釣り餌を取出したり、釣り餌を釣り針に取付けたりする際に、釣り人が蓋体３を開けると、蓋体３の開動作に連動して自動切換スイッチ９が接点ａに切換わり、自動的に蓋体３の裏面側に取付けられた照明灯６が点灯して箱本体２の内部が明るく照らされることになる。これにより、釣り人は夜間でも容易に所望とする釣り餌を取出すことが可能となるとともに、的確に釣り餌を釣り針に取付けることが可能となる。このとき、照明灯６を蓋体３の裏面側に取付けいるため、蓋体３に遮られて照明灯６で釣り場の水面を照らすことがない。従って、餌箱１の蓋体３を開いても光に敏感な魚が逃げることがなく、周囲の釣り人達に迷惑を掛けない。【００２１】  そして、餌箱１から所望とする釣り餌を取出して釣り針に取付けた後、釣り人が蓋体３を閉めると、蓋体３の閉動作に連動して自動切換スイッチ９が接点ｂに切換わり、自動的に照明灯６が消灯すると同時に、目印灯７が点滅或いは点灯することになる。これにより、釣り人は暗闇の中でも餌箱１の置き場所を容易に目視で確認することが可能となる。【００２２】  尚、昼間の釣りに餌箱１を使用する場合、メインスイッチ８をオフ状態にしておけば、蓋体３を開閉しても、照明灯６及び目印灯７は消灯したままであるので、電池１１の消耗を防げて良い。【００２３】  本考案は、上記実施形態のものに限定されるものではなく、その要旨を逸脱しない範囲において適宜設計変更して具体化できる。例えは、上記実施形態では、箱本体２及び蓋体３の材質として、保温性・保湿性に優れ、生き餌が長生きして好ましいので木材を用いているが、本考案では、箱本体２及び蓋体３の材質は木材に限定されるものではなく、木材以外、例えば、ＦＲＰ（繊維強化プラスチック）を含む合成樹脂、金属等を箱本体２及び蓋体３の材質として用いても構わない。【００２４】  また、上記実施形態では、箱本体２に蓋体３を開閉自在に取付ける手段として、枢軸４を用いているが、本考案では、箱本体２に蓋体３を開閉自在に取付ける手段は枢軸４に限定されるものではなく、枢軸４以外の手段、例えば、ヒンジ等を箱本体２に蓋体３を開閉自在に取付ける手段として用いても構わない。【００２５】  また、上記実施形態では、電源として電池を用いているが、本考案では、電源は電池に限定されるものではなく、電池以外、例えば、小型バッテリー等を電源として用いても構わない。
【図面の簡単な説明】
【００２６】
【図１】  本考案の実施形態の釣り用餌箱の蓋体を開いた状態の斜視図である。
【図２】  本考案の実施形態の釣り用餌箱の蓋体を閉じた状態の斜視図である。
【図３】  本考案の実施形態の釣り用餌箱の電気回路図である。
【符号の説明】
【００２７】  １…餌箱、２…箱本体、３…蓋体、４…枢軸、５…電池ボックス、６…照明灯、７…目印灯、８…メインスイッチ、９…自動切換スイッチ、１０…目印スイッチ
【図１】
0003108737.tif 000003
【図２】
0003108737.tif 000004
【図３】
0003108737.tif 000005